【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
樹脂組成物の固形分全量を基準として３０質量％以上９０質量％以下であるポリ乳酸と、樹脂組成物の固形分全量を基準として５質量％以上５０質量％以下であるモノカルボジイミド化合物と、樹脂組成物の固形分全量を基準として０．１質量％以上１０質量％以下であるホスファゼン化合物とを含むことを特徴とする樹脂組成物。
【請求項２】
融点が２００℃以上である難燃剤を、樹脂組成物の固形分全量を基準として５質量％以上５０質量％以下含むことを特徴とする、請求項１に記載の樹脂組成物。
【請求項３】
前記難燃剤は、リン酸塩化合物であることを特徴とする、請求項２に記載の樹脂組成物。
【請求項４】
アクリル系のゴム材料を、樹脂組成物の固形分全量を基準として１質量％以上２０質量％以下含むことを特徴とする、請求項１〜３のいずれか１項に記載の樹脂組成物。
【請求項５】
前記モノカルボジイミド化合物が、脂肪族系のモノカルボジイミド化合物であることを特徴とする、請求項１〜４のいずれか１項に記載の樹脂組成物。
【請求項６】
樹脂組成物の固形分全量を基準として３０質量％以上９０質量％以下であるポリ乳酸と、樹脂組成物の固形分全量を基準として５質量％以上５０質量％以下であるモノカルボジイミド化合物と、樹脂組成物の固形分全量を基準として０．１質量％以上１０質量％以下であるホスファゼン化合物とを含む樹脂組成物を用いて得られることを特徴とする樹脂成形体。
【請求項７】
前記樹脂組成物は、融点が２００℃以上である難燃剤を、樹脂組成物の固形分全量を基準として５質量％以上５０質量％以下含むことを特徴とする、請求項６に記載の樹脂成形体。
【請求項８】
前記難燃剤は、リン酸塩化合物であることを特徴とする、請求項７に記載の樹脂成形体。
【請求項９】
前記樹脂組成物は、アクリル系のゴム材料を、樹脂組成物の固形分全量を基準として１質量％以上２０質量％以下含むことを特徴とする、請求項６〜８のいずれか１項に記載の樹脂成形体。
【請求項１０】
前記モノカルボジイミド化合物が、脂肪族系のモノカルボジイミド化合物であることを特徴とする、請求項６〜９のいずれか１項に記載の樹脂成形体。
【手続補正２】
【補正対象書類名】明細書
【補正対象項目名】０００８
【補正方法】変更
【補正の内容】
【０００８】  請求項１に係る発明は、樹脂組成物の固形分全量を基準として３０質量％以上９０質量％以下であるポリ乳酸と、樹脂組成物の固形分全量を基準として５質量％以上５０質量％以下であるモノカルボジイミド化合物と、樹脂組成物の固形分全量を基準として０．１質量％以上１０質量％以下であるホスファゼン化合物とを含む樹脂組成物である。
【手続補正３】
【補正対象書類名】明細書
【補正対象項目名】０００９
【補正方法】変更
【補正の内容】
【０００９】  請求項２に係る発明は、融点が２００℃以上である難燃剤を、樹脂組成物の固形分全量を基準として５質量％以上５０質量％以下含む、請求項１に記載の樹脂組成物である。
【手続補正４】
【補正対象書類名】明細書
【補正対象項目名】００１１
【補正方法】変更
【補正の内容】
【００１１】  請求項４に係る発明は、アクリル系のゴム材料を、樹脂組成物の固形分全量を基準として１質量％以上２０質量％以下含む、請求項１〜３のいずれか１項に記載の樹脂組成物である。
【手続補正５】
【補正対象書類名】明細書
【補正対象項目名】００１３
【補正方法】変更
【補正の内容】
【００１３】  請求項６に係る発明は、樹脂組成物の固形分全量を基準として３０質量％以上９０質量％以下であるポリ乳酸と、樹脂組成物の固形分全量を基準として５質量％以上５０質量％以下であるモノカルボジイミド化合物と、樹脂組成物の固形分全量を基準として０．１質量％以上１０質量％以下であるホスファゼン化合物とを含む樹脂組成物を用いて得られる樹脂成形体である。
【手続補正６】
【補正対象書類名】明細書
【補正対象項目名】００１４
【補正方法】変更
【補正の内容】
【００１４】  請求項７に係る発明は、前記樹脂組成物は、融点が２００℃以上である難燃剤を、樹脂組成物の固形分全量を基準として５質量％以上５０質量％以下含む、請求項６に記載の樹脂成形体である。
【手続補正７】
【補正対象書類名】明細書
【補正対象項目名】００１６
【補正方法】変更
【補正の内容】
【００１６】  請求項９に係る発明は、前記樹脂組成物は、アクリル系のゴム材料を、樹脂組成物の固形分全量を基準として１質量％以上２０質量％以下含む、請求項６〜８のいずれか１項に記載の樹脂成形体である。
【手続補正８】
【補正対象書類名】明細書
【補正対象項目名】００１９
【補正方法】変更
【補正の内容】
【００１９】  本発明の請求項２によると、融点が２００℃以上である難燃剤を樹脂組成物の固形分全量を基準として５質量％以上５０質量％以下含まない場合に比べて、成形体にした場合に難燃性および鋼球落下試験特性が向上する。
【手続補正９】
【補正対象書類名】明細書
【補正対象項目名】００２１
【補正方法】変更
【補正の内容】
【００２１】  本発明の請求項４によると、アクリル系のゴム材料を、樹脂組成物の固形分全量を基準として１質量％以上２０質量％以下含まない場合に比べて、成形体にした場合に難燃性および鋼球落下試験特性が向上する。
【手続補正１０】
【補正対象書類名】明細書
【補正対象項目名】００２４
【補正方法】変更
【補正の内容】
【００２４】  本発明の請求項７によると、前記樹脂組成物が融点が２００℃以上である難燃剤を、樹脂組成物の固形分全量を基準として５質量％以上５０質量％以下含まない場合に比べて、難燃性および鋼球落下試験特性が向上する。
【手続補正１１】
【補正対象書類名】明細書
【補正対象項目名】００２６
【補正方法】変更
【補正の内容】
【００２６】  本発明の請求項９によると、前記樹脂組成物がアクリル系のゴム材料を、樹脂組成物の固形分全量を基準として１質量％以上２０質量％以下含まない場合に比べて、難燃性および鋼球落下試験特性が向上する。
【手続補正１２】
【補正対象書類名】明細書
【補正対象項目名】００３０
【補正方法】変更
【補正の内容】
【００３０】［樹脂組成物］本発明の実施形態に係る樹脂組成物は、樹脂組成物の固形分全量を基準として３０質量％以上９０質量％以下であるポリ乳酸と、樹脂組成物の固形分全量を基準として５質量％以上５０質量％以下であるモノカルボジイミド化合物と、樹脂組成物の固形分全量を基準として０．１質量％以上１０質量％以下であるホスファゼン化合物とを含む。ポリ乳酸にモノカルボジイミド化合物およびホスファゼン化合物に加えることにより、モノカルボジイミド化合物がポリ乳酸の末端基（例えば、カルボキシル基、ヒドロキシル基）と結合することによって分子鎖の延長が起こり、また、ホスファゼン化合物の可塑化効果によってポリ乳酸の末端基の分子運動が促進され、ポリ乳酸の末端基とモノカルボジイミド化合物との反応性が高められると考えられる。その結果、樹脂そのものの伸びが向上し、本実施形態に係る樹脂組成物を用いると、従来技術では難しかったポリ乳酸を含む樹脂成形体において、鋼球落下試験特性の向上が実現されると考えられる。また、モノカルボジイミド化合物が脂肪族系のモノカルボジイミドであると、その化学構造の単純さから、脂肪族系のモノカルボジイミド以外を用いた場合に比べて、ポリ乳酸の末端基との反応性がさらに高められると考えられる。その結果、樹脂そのものの伸びが向上し、樹脂成形体において、鋼球落下試験特性のより一層の向上が実現されると考えられる。